(57)【要約】【課題】ハロゲンフリー電線を被覆するポリオレフィン系絶縁樹脂の酸化を防止し、ハロゲンフリー電線の劣化を防止する。【解決手段】酸化防止剤が配合されたポリオレフィン系絶縁樹脂材料で導線を被覆したハロゲンフリー電線と、塩化ビニル系絶縁樹脂材料により電線を被覆した塩化ビニル被覆電線とを、塩化ビニル系絶縁樹脂材料からなるテープあるいはチューブにより外装して結束している電線群の結束構造において、ポリオレフィン系絶縁樹脂材料からなるダミー線を設け、該ダミー線をハロゲンフリー電線と塩化ビニル電線と共にテープあるいはチューブで外装し、ダミー線とハロゲンフリー電線の合計重量が、塩化ビニル被覆電線、ハロゲンフリー電線、ダミー線および外装材の重量を合計した全重量に対して２０％以上としている。【選択図】　図１
2004127791.tif 000002
【特許請求の範囲】
【請求項１】
酸化防止剤が配合されたポリオレフィン系絶縁樹脂で導線を被覆したハロゲンフリー電線と、塩化ビニル系絶縁樹脂により電線を被覆した塩化ビニル被覆電線とを、塩化ビニル系絶縁樹脂からなるテープあるいはチューブにより外装して結束している電線群の結束構造において、
ポリオレフィン系絶縁樹脂からなるダミー線を設け、該ダミー線を上記ハロゲンフリー電線と塩化ビニル電線と共に上記テープあるいはチューブで外装し、
上記ダミー線と上記ハロゲンフリー電線の合計重量が、上記塩化ビニル被覆電線、ハロゲンフリー電線、ダミー線および外装材の重量を合計した全重量に対して２０％以上となるように構成していることを特徴とする電線群の結束構造。
【請求項２】
上記ハロゲンフリー電線と塩化ビニル電線との間に上記ダミー線を介在させて、ハロゲンフリー電線と塩化ビニル電線との接触面積を減少している請求項１に記載の電線群の結束構造。
【請求項３】
上記ダミー線は複数本からなり、分散配置している請求項１または請求項２に記載の電線群の結束構造。
【請求項４】
上記ダミー線はポリプロピレンより成形した丸棒状である請求項１乃至請求項３のいずれか１項に記載の電線群の結束構造。
【発明の詳細な説明】
【０００１】
【発明が属する技術分野】
本発明は、電線群の結束構造に関し、詳しくは、環境対策の点から用いられるハロゲンフリー電線のテープ巻き結束時における酸化防止を図るものである。
【０００２】
【従来の技術】
自動車等に配索されるワイヤハーネスに使用する電線は、一般に、複数の銅線からなる素線を束ねてポリ塩化ビニル（ＰＶＣ）樹脂を被覆したＰＶＣ電線が使用されている。銅線としては、焼きなました軟銅線のほか、錫めっき軟銅線が用いられている。また、上記電線を複数本束ねてテープ巻して結束して組み立てるワイヤハーネスでは、上記結束用のテープとしてＰＶＣテープが汎用されている。さらに、ワイヤハーネスの電線群の保護を図るため、外装材としてＰＶＣチューブ、ＰＶＣシートが広く使用されている。即ち、電線の絶縁被覆材の他、電線結束材、ワイヤハーネス保護材の素材としてＰＶＣ樹脂が広範に用いられている。
【０００３】
上記広く使用されてきたＰＶＣ電線について、近時、環境問題対策の一環として代替品の検討がなされており、例えば、導体に被覆する絶縁被覆材として、ＰＶＣに代えて、ノンハロゲンのポリオレフィンに難燃剤として無機の充填剤を多量に添加した絶縁被覆材で芯線を被覆したハロゲンフリー電線が提案されている。
本出願人も、特開２００２−２０８３１５号において、ハロゲン元素を含まない樹脂または該樹脂にハロゲン元素を含まない難燃剤を配合した樹脂組成物から選ばれたノンハロゲン難燃性樹脂材料からなるシートあるいはフィルムにより導体を被覆したハロゲンフリー電線を提供している。
【０００４】
【特許文献１】
特開２００２−２０８３１５号公報
【０００５】
【発明が解決しようとする課題】
しかしながら、複数の電線を集束してワイヤハーネスを形成する際、図３に示すように、導体１ｂをハロゲン元素を含まないポリオレフィン系樹脂１ａで被覆したハロゲンフリー電線１を、従来の塩化ビニル系絶縁樹脂２ａにより導線２ｂを被覆したＰＶＣ電線２と接触させて束ね、ＰＶＣチューブ３で外装すると、ハロゲンフリー電線１が劣化しやすい問題がある。この劣化は、ポリオレフィン系樹脂１ａに配合された酸化防止剤が、接触したＰＶＣ電線およびＰＶＣチューブの塩化ビニル系絶縁樹脂２ａに吸収されて移行してしまうため、ハロゲンフリー電線１のポリオレフィン系絶縁樹脂１ａの酸化が促進されることに因る。
【０００６】
そのため、ポリオレフィン系絶縁樹脂１ａの酸化を防止するために、該ポリオレフィン系絶縁樹脂１ａの酸化防止材の濃度と同程度の濃度となる酸化防止剤を塩化ビニル系絶縁樹脂２ａ及びＰＶＣチューブ３に配合して、酸化防止剤の濃度を均一にする方法が考えられるが、この方法であると、塩化ビニル系絶縁樹脂２ａ及びＰＶＣチューブ３に酸化防止剤を多く配合しなければならず、作業手数がかかると共に、コスト高になるという問題がある。
【０００７】
本発明は、上記問題に鑑みてなされたものであり、ＰＶＣ電線を被覆する塩化ビニル系絶縁樹脂及びＰＶＣチューブに酸化防止剤を配合することなくハロゲンフリー電線を被覆するポリオレフィン系絶縁樹脂の酸化を防止し、ハロゲンフリー電線の劣化を防止することを課題としている。
【０００８】
【課題を解決するための手段】
上記課題を解決するため、本発明は、酸化防止剤が配合されたポリオレフィン系絶縁樹脂で導線を被覆したハロゲンフリー電線と、塩化ビニル系絶縁樹脂により電線を被覆した塩化ビニル被覆電線とを、塩化ビニル系絶縁樹脂からなるテープあるいはチューブにより外装して結束している電線群の結束構造において、
ポリオレフィン系絶縁樹脂からなるダミー線を設け、該ダミー線を上記ハロゲンフリー電線と塩化ビニル電線と共に上記テープあるいはチューブで外装し、上記ダミー線と上記ハロゲンフリー電線の合計重量が、上記塩化ビニル被覆電線、ハロゲンフリー電線、ダミー線および外装材の重量を合計した全重量に対して２０％以上となるように構成していることを特徴とする電線群の結束構造を提供している。
【０００９】
本発明者らによる様々な実験の結果、電線群中に含まれるポリオレフィン系絶縁樹脂の割合を増加させると、ポリオレフィン系絶縁樹脂が酸化しにくくなることを究明した。その結果に基づき、ポリオレフィン系絶縁樹脂からなるダミー線を集束するハロゲンフリー電線およびＰＶＣ電線の中に挿入し、ポリオレフィン系絶縁樹脂の割合を増加させている。
このポリオレフィン系絶縁樹脂の割合、即ち、ハロゲンフリー電線とダミー線の合計重量を、塩化ビニル被覆電線、ハロゲンフリー電線、ダミー線および外装材の合計重量である全重量に対して２０％以上に設定しているのは、本発明者の実験結果の繰り返しにより知見したもので、上記２０％以上とすると、塩化ビニル被覆電線及び外装材に酸化防止剤を配合することなく、ポリオレフィン系絶縁樹脂の酸化を防止でき、ハロゲンフリー電線の劣化を防止することができる。
【００１０】
このように、ポリオレフィン系絶縁樹脂からなるダミー線を設け、該ダミー線をハロゲンフリー電線とＰＶＣ電線と共にＰＶＣテープで結束し、あるいはＰＶＣチューブで外装すると、ＰＶＣ電線の塩化ビニル被覆電線及びＰＶＣテープ、ＰＶＣチューブに酸化防止剤を配合する必要がないため、作業工数の削減及びコストの低減を図ることができる。
なお、ＰＶＣ電線、ＰＶＣテープ、ＰＶＣチューブの塩化ビニル樹脂に酸化防止剤を配合してもよいが、その場合にも、ポリオレフィン系絶縁樹脂に配合する酸化防止剤と同程度の濃度となる程に多く配合する必要はない。
【００１１】
また、上記ダミー線とハロゲンフリー電線の合計重量を塩化ビニル被覆電線、ハロゲンフリー電線、ダミー線および外装材の重量を合計した全重量に対して２０％以上としているが、より好ましくは、２５％以上３０％以下である。
２０％より小さいと、ポリオレフィン系絶縁樹脂の酸化を防止することができず、３０％より大きいと、ワイヤハーネスの径が太くなると共に、コスト高となるためである。
【００１２】
ハロゲンフリー電線の電線被覆材に使用されるベースポリマーとしては、ポリオレフィン系のプロピレンポリマー（ホモポリマー及びプロピレンランダム又はブロックコポリマー）、ポリエチレン（高密度ポリエチレン、直鎖状低密度ポリエチレン、低密度ポリエチレン、超低密度ポリエチレン等）、ポリブテンポリマー、エチレン共重合体（エチレン−酢酸ビニル共重合体、エチレン−アクリル酸エチル共重合体等）、ポリオレフィン系エラストマー（ポリプロピレン−エチレン／プロピレン共重合体等）又はこれら共重合体中の不飽和二重結合を水素添加により飽和した共重合体等が好適なものとして挙げられる。これらポリマーは、単独で又は２種以上の混合物として用いることができる。これに難燃剤として水酸化マグネシウム、水酸化アルミニウム等の金属水和物等のハロゲンを全く含まない難燃剤を添加している。
【００１３】
上記ハロゲンフリー電線とＰＶＣ電線の導体としては、焼きなましをした軟銅線のほか、錫めっき軟銅線が好適なものとして挙げられるが、タングステン線等でもよく、これらに限定されるものではない。
【００１４】
上記ハロゲンフリー電線とＰＶＣ電線との間に上記ダミー線を介在させて、ハロゲンフリー電線とＰＶＣ電線との接触面積を減少している。
上記構成とすると、ハロゲンフリー電線とＰＶＣ電線との接触面積を減少しているので、ハロゲンフリー電線からＰＶＣ電線への酸化防止剤の移行を減少することができ、ポリオレフィン系絶縁樹脂の酸化を効率よく防止して、ハロゲンフリー電線の劣化を防止することができる。
【００１５】
上記ダミー線を複数本とし、分散配置することが好ましい。
上記構成とすると、ハロゲンフリー電線とＰＶＣ電線との接触面積をより減少できるので、ハロゲンフリー電線からＰＶＣ電線への酸化防止剤の移行をより減少でき、ポリオレフィン系絶縁樹脂の酸化を防止して、ハロゲンフリー電線の劣化を防止することができる。
【００１６】
上記ダミー線はポリプロピレンより成形して、例えば丸棒状として、接触するハロゲンフリー電線およびＰＶＣ電線に損傷を与えないようにしている。
【００１７】
【発明の実施の形態】
以下、本発明の実施の形態を図面を参照して説明する。
図１は、本発明の第１実施形態の電線群１０を示す。
電線群１０は、酸化防止剤が配合されたポリプロピレンからなる絶縁被覆１１ａで導線１１ｂを被覆したハロゲンフリー電線１１と、塩化ビニル樹脂からなる絶縁被覆１２ａにより導線１２ｂを被覆した２本のＰＶＣ電線１２とを、ポリプロピレンからなるダミー線１４とを集束して、ＰＶＣテープ１３で結束している。
【００１８】
上記電線群１０では、ダミー線１４とハロゲンフリー電線１１の合計重量は、ＰＶＣ電線１２、ハロゲンフリー電線１１、ダミー線１４およびＰＶＣテープ１３の重量を合計した全重量に対して２５％である。
即ち、ダミー線１４を加えることにより、上記２５％となるように設定している。
【００１９】
上記ダミー線１４は丸棒状としており、ハロゲンフリー電線１１とＰＶＣ電線１２との間に介在させ、ハロゲンフリー電線１１とＰＶＣ電線１２とを直接接触させないようにしている。
【００２０】
上記構成とすると、ダミー線１４とハロゲンフリー電線１１の合計重量が、ＰＶＣ電線１２、ハロゲンフリー電線１１、ダミー線１４およびＰＶＣテープ１３の重量を合計した全重量に対して２０％以上であるため、ＰＶＣ電線１２及びＰＶＣテープ１３の塩化ビニル樹脂に、ハロゲンフリー電線の絶縁被覆材のポリプロピレンに配合あれた酸化防止剤が吸収されず、ポリプロピレンの酸化を防止することができる。よって、ハロゲンフリー電線１１の劣化を防止することができる。
さらに、ハロゲンフリー電線１１とＰＶＣ電線１２とを直接接触させていないため、確実にハロゲンフリー電線１１の酸化防止材が塩化ビニル樹脂に吸収されるのを防止できる。
また、ＰＶＣ電線１２及びＰＶＣテープ１３に酸化防止剤を配合する必要がないため、作業工数の削減及びコストの低減を図ることができる。
【００２１】
図２は、本発明の第２実施形態の電線群１０’を示し、上記第１実施形態と同様のハロゲンフリー電線１１、ＰＶＣ電線１２と共に、ポリプロピレンからなる複数の小径のダミー線１４’をＰＶＣチューブ１３’内に通している。
ダミー線１４’とハロゲンフリー電線１１の合計重量は、ＰＶＣ電線１２、ハロゲンフリー電線１１、ダミー線１４’およびＰＶＣチューブ１３’の重量を合計した全重量に対して２５％としている。
【００２２】
本実施形態の小径のダミー線１４’は、ハロゲンフリー電線１１とＰＶＣ電線１２との間及びハロゲンフリー電線１１とＰＶＣチューブ１３’との間に分散配置させて、ハロゲンフリー電線１１がＰＶＣ電線１２及びＰＶＣチューブ１３’とが直接接触しないようにしている。
【００２３】
上記構成とすると、ハロゲンフリー電線１１がＰＶＣ電線１２と接触せず、かつ、ＰＶＣチューブ１３’とも直接接触しないので、確実にハロゲンフリー電線１１を被覆しているポリプロピレンの酸化を防止することができ、ハロゲンフリー電線１１の劣化を防止することができる。
【００２４】
【発明の効果】
以上の説明より明らかなように、本発明によれば、ハロゲンフリー電線と塩化ビニル被覆電線と共にポリオレフィン系絶縁樹脂からなるダミー線を塩化ビニル系絶縁樹脂からなるテープあるいはチューブにより外装することで、全重量に対するポリオレフィン系樹脂の割合を増加させ、ダミー線とハロゲンフリー電線の合計重量が、塩化ビニル被覆電線、ハロゲンフリー電線、ダミー線および外装材の重量を合計した全重量に対して２０％以上になるようにしているので、塩化ビニル被覆電線及び外装材に酸化防止剤を配合することなくポリオレフィン系絶縁樹脂の酸化を防止することができ、ハロゲンフリー電線の劣化を防止することができる。
また、塩化ビニル被覆電線及び外装材に酸化防止剤を配合する必要がないため、作業工数の削減及びコストの低減を図ることができる。
【図面の簡単な説明】
【図１】本発明の第１実施形態の電線群を示す断面図である。
【図２】本発明の第２実施形態の電線群を示す断面図である。
【図３】従来の問題点を示す図面である。
【符号の説明】
１０　電線群
１１　ハロゲンフリー電線
１２　ＰＶＣ電線
１３　ＰＶＣテープ
１３’ＰＶＣチューブ
１４　ダミー線
【図１】
2004127791.tif 000003
【図２】
2004127791.tif 000004
【図３】
2004127791.tif 000005